(57)【要約】  向上した増白剤の安定性を備える液体洗濯組成物であって、当該洗濯組成物の約６重量％〜約２０重量％の界面活性剤成分（当該洗濯組成物の約１重量％〜約６重量％の、平均炭素鎖長が約１６〜約１７である中鎖分岐一級アルキルサルフェート界面活性剤、及び当該洗濯組成物の約０．５重量％〜約９重量％の、アルキルベンゼンスルホン酸、Ｃ１０〜１６アルキルベンゼンスルホン酸のアルカリ金属塩から選択されるＨＬＡＳ界面活性剤を含む）、それと共に当該洗濯組成物の約０．０３重量％〜約０．２重量％の、約５０℃で測定した場合の水溶解度が０〜約２ｇ／Ｌの水不溶性蛍光増白剤、並びに当該洗濯組成物の約０．５重量％〜約４重量％のモノエタノールアミンを含有し、ＨＬＡＳ界面活性剤の界面活性剤総量に対する比率が、重量ベースで約１：１４〜約５：７であり、モノエタノールアミンの界面活性剤総量に対する比率が約１：１５〜約１：４であり、水不溶性増白剤の界面活性剤総量に対する比率が約１：１００より低いものである。かかる組成物を使用して、水不溶性増白剤の布地への付着を向上させる方法。【特許請求の範囲】
【請求項１】
蛍光増白剤を含み、向上した増白剤の安定性を備える液体洗濯組成物であって、前記組成物が、
ａ）前記洗濯組成物の６％〜２０％の界面活性剤成分であって、
ｉ）前記洗濯組成物の１重量％〜６重量％の、平均炭素鎖長が１６〜１７である中鎖分岐一級アルキルサルフェート界面活性剤；
ｉｉ）前記洗濯組成物の０．５重量％〜９重量％、好ましくは１重量％〜９重量％の、アルキルベンゼンスルホン酸、Ｃ１０〜１６アルキルベンゼンスルホン酸のアルカリ金属塩から選択されるＨＬＡＳ界面活性剤
を含んでなる界面活性剤成分と、
ｂ）前記洗濯組成物の０．０３重量％〜０．２重量％、好ましくは約０．０３重量％〜０．２重量の蛍光増白剤であって、５０℃で測定した場合の水溶解度が０〜２ｇ／Ｌ、好ましくは０．２ｇ／Ｌ〜２ｇ／Ｌの水不溶性蛍光増白剤である蛍光増白剤と、
ｃ）前記洗濯組成物の０．５重量％〜４重量％、好ましくは約１．２重量％〜４重量％のモノエタノールアミンと
を含んでなり、
界面活性剤の総量に対するＨＬＡＳ界面活性剤の比率が、重量ベースで１：１４〜５：７、好ましくは１：１４〜１：２であり、モノエタノールアミンの界面活性剤総量に対する比率が１：１５〜１：４、好ましくは１：１２〜１：６であり、水不溶性増白剤の界面活性剤総量に対する比率が１：１００より低い、好ましくは１：１３０より低い、液体洗濯組成物。
【請求項２】
前記水不溶性蛍光増白剤が、ジナトリウム４，４’−ビス｛［４−アニリノ−６モルホリノ−ｓ−トリアジン−２−イル］アミノ｝−２，２’−スチルベンジスルホネート、ジナトリウム４，４’−ビス−（２−スルホストリル）ビフェニル、ジナトリウム４，４’−ビス−［｛４，６−ジ−アニリノ−ｓ−トリアジン−２−イル］−アミノ｝−２，２’スチルベンジスルホネート、及びこれらの混合物から選択される、請求項１に記載の液体洗濯洗剤組成物。
【請求項３】
前記ＨＬＡＳ界面活性剤が、Ｃ１１〜１４アルキルベンゼンスルホン酸及びこれらの混合物、好ましくは直鎖アルキルベンゼンスルホネート及びこれらの混合物から選択される、請求項１又は２に記載の液体洗濯洗剤組成物。
【請求項４】
前記組成物が、前記組成物の０．５重量％〜９重量％の前記ＨＬＡＳ界面活性剤を含み、前記ＨＬＡＳ界面活性剤が直鎖アルキルベンゼンスルホン酸ナトリウム及びこれらの混合物から選択される、請求項１〜３のいずれか１項に記載の液体洗濯洗剤組成物。
【請求項５】
前記界面活性剤成分が、アニオン性界面活性剤、非イオン性界面活性剤、メチルエステルスルホネート、アミンオキシド、他のカチオン性界面活性剤、及びこれらの混合物から選択される、好ましくはＡＥＳ、非イオン性界面活性剤、及びこれらの混合物から選択される追加の界面活性剤を更に含む、請求項１〜４のいずれか１項に記載の液体洗濯洗剤組成物。
【請求項６】
前記界面活性剤成分が、０．２％〜３％の、非イオン性界面活性剤から選択される追加の界面活性剤を更に含む、請求項１に記載の液体洗濯洗剤組成物。
【請求項７】
前記洗濯組成物が、前記洗濯組成物の０．５重量％〜１．５重量％のホウ砂を更に含む、請求項１〜６のいずれか１項に記載の液体洗濯洗剤組成物。
【請求項８】
前記洗濯組成物のｐＨが８．０〜８．７である、請求項１〜７のいずれか１項に記載の液体洗濯洗剤組成物。
【請求項９】
前記洗濯組成物が透明又は半透明である、請求項１〜８のいずれか１項に記載の液体洗濯洗剤組成物。
【請求項１０】
前記洗濯組成物が容器に保管され、前記容器が透明又は半透明である、請求項１〜９のいずれか１項に記載の液体洗濯洗剤組成物。
【請求項１１】
前記洗濯組成物が、ビルダー、追加の増白剤、移染防止剤、構造剤、キレート剤、ポリアクリレートポリマー、分散剤、染料、香料、加工助剤、漂白化合物、溶媒、酵素、マイクロカプセル、ビーズ、汚れ放出ポリマー、及びこれらの混合物から選択される洗濯補助剤成分を更に含む、請求項１〜１０のいずれか１項に記載の液体洗濯洗剤組成物。
【請求項１２】
水不溶性増白剤の布地への付着を向上させるための、請求項１〜１１のいずれか１項に記載の液体洗濯洗剤組成物の使用。
【請求項１３】
水不溶性増白剤の布地への付着を向上させる方法であって、
Ａ）液体洗濯洗剤を製造する工程であって、前記液体洗濯洗剤が、
ａ）前記洗濯組成物の６重量％〜２０重量％の界面活性剤成分であって、
ｉ）前記洗濯組成物の１重量％〜６重量％の、平均炭素鎖長が１６〜１７である中鎖分岐一級アルキルサルフェート界面活性剤；
ｉｉ）前記洗濯組成物の０．５重量％〜９重量％の、アルキルベンゼンスルホン酸、Ｃ１０〜１６アルキルベンゼンスルホン酸のアルカリ金属塩から選択されるＨＬＡＳ界面活性剤
を含んでなる界面活性剤成分、
ｂ）前記洗濯組成物の０．０３重量％〜０．２重量％の蛍光増白剤であって、５０℃で測定した場合の水溶解度が０〜２ｇ／Ｌの非水溶性蛍光増白剤である蛍光増白剤、及び
ｃ）前記洗濯組成物の０．５重量％〜４重量％のモノエタノールアミン
を含んでなり、
ＨＬＡＳ界面活性剤の界面活性剤成分総量に対する比率が、重量ベースで１：１４〜５：７であり、モノエタノールアミンの総界面活性剤成分に対する比率が１：１５〜１：４であり、水不溶性増白剤の総界面活性剤成分に対する比率が１：１００より低いものである、工程と、
Ｂ）前記液体洗濯組成物を標準的な洗濯機の洗浄水に加える工程と、
Ｃ）布地を前記洗浄水に加える工程と、
Ｄ）洗浄サイクルを実行する工程と
を少なくとも含んでなる、方法。
【発明の詳細な説明】
【技術分野】
【０００１】
本発明は、中鎖分岐一級アルキルサルフェートを含有する界面活性剤を含有し、向上した水不溶性増白剤の安定性を備える洗濯洗剤組成物に関する。
【背景技術】
【０００２】
多数の洗濯処理組成物が、消費者による、従来の洗濯機での衣類及び他の布地の洗浄用途に利用可能である。しかし、消費者は依然として、布地品目からいくらかの残留物及び／又は汚れを除去しようと努力している。洗剤製造業者は、向上した洗浄力を提供するために、洗剤製品内の界面活性剤の量を頻繁に増加させることができる。
【０００３】
しかし、界面活性剤を増加させると総生産コストが上昇する。このコストは、製造業者が吸収するか、消費者に転嫁するかのいずれかが必要となるが、そのどちらも望ましくない結果をもたらす。界面活性剤レベルの増加は、布地の損傷又は退色の可能性も増加させるが、これは消費者にとって極めて望ましくない。更に、特定の界面活性剤など石油化学派生製品コストの最近の大幅な上昇により、洗剤製造業者は、洗浄力の向上した、コスト効率の良い洗濯洗剤組成物を製造することが一層困難になっている。
【０００４】
蛍光増白剤は、洗濯洗剤組成物で用いられ、布地に付着させると視覚的利益をもたらすことは当該技術分野において既知である。蛍光増白剤は白色の衣類をより白く見せ、及び／又は色付き衣類の色をより鮮明に見せ、従って衣類をより新しく見せることがあるので、液体洗濯洗剤組成物に含めることが望ましい。布地への付着に関しては、より水に溶けにくい蛍光増白剤が好ましい。しかし、このような増白剤を水溶性の液体洗濯組成物中に安定的に配合することは、特質として一層困難である。
【０００５】
十分な量で使用した場合、モノエタノールアミン（ＭＥＡ）は、蛍光増白剤に対する対イオンとして機能し、従って増白剤の更なる安定性をもたらすことは周知である。しかし、製品における悪臭の問題及びその洗剤で洗濯した布地に残留する悪臭を回避するためには、洗濯洗剤製品中のＭＥＡのレベルは、ある程度まで制限する必要がある。
【０００６】
平均炭素鎖長が約１４〜約１７である中鎖分岐一級アルキルサルフェート界面活性剤（「ＭＢＡＳ界面活性剤」）が良好な洗浄特性を提供することは周知である。ＭＢＡＳ界面活性剤は、主たるシャーシ界面活性剤として使用された場合、並びに他の界面活性剤と組み合わせてより低いレベルで、又は低界面活性剤洗剤組成物内で使用された場合、良好な洗浄特性を示す。しかし、重質液体（ＨＤＬ）洗濯洗剤組成物中により低いレベルで含有させた場合、炭素鎖長が約１６〜１７であるＭＢＡＳ界面活性剤（「ＨＳＡＳ界面活性剤」とも呼ばれる）は、一般に、他の鎖長のＭＢＡＳ界面活性剤よりも良好な洗浄力を示すことが判明した。しかし、ＨＳＡＳ界面活性剤の使用は、典型的に、界面活性剤系の疎水性の増加をもたらす。理論に束縛されることなく、驚くべきことに、この増加した界面活性剤系の疎水性が、水不溶性増白剤と組み合わされた場合でも増白剤の安定性の低下をもたらすことが判明した。当業者は、これに反して、界面活性剤系の疎水性が増加した場合には水不溶性増白剤の安定性が向上することを期待するであろう。
【発明の開示】
【発明が解決しようとする課題】
【０００７】
従って、水不溶性蛍光増白剤を含有し、平均炭素鎖長が約１６〜約１７である中鎖分岐一級アルキルサルフェート界面活性剤を使用することによって全体の界面活性剤レベルを低減する機能も含む、良好な洗浄力を持つ液体洗濯洗剤組成物に対する必要性がなお存在する。
【課題を解決するための手段】
【０００８】
驚くべきことに、向上した水不溶性増白剤の安定性、良好な布地洗浄力、及びコスト効率性をもたらすために、洗濯洗剤、特に平均炭素鎖長が約１６〜約１７である中鎖分岐一級アルキルサルフェート界面活性剤及び蛍光増白剤を含有する重質液体洗濯洗剤がＨＬＡＳ界面活性剤を含むように製造できることが、今では判明している。本発明による組成物は、下記に詳細が記載される。
【０００９】
従って、本発明は、洗濯組成物に蛍光増白剤を含有し、向上した蛍光増白剤の安定性を備える、液体洗濯洗剤組成物を包含する。かかる液体洗濯組成物は、当該洗濯組成物の約６重量％〜約２０重量％の界面活性剤成分、当該洗濯組成物の約０．０３重量％〜約０．２重量％の蛍光増白剤（約５０℃で測定した場合の水溶解度が０〜約２ｇ／Ｌの水不溶性蛍光増白剤）、及び当該洗濯組成物の約０．５重量％〜約４重量％のモノエタノールアミン（monethanolamine）を含有する。界面活性剤成分は、当該洗濯組成物の約１重量％〜約６重量％の、平均炭素鎖長が約１６〜約１７である中鎖分岐一級アルキルサルフェート界面活性剤及び当該洗濯組成物の約０．５重量％〜約９重量％の、アルキルベンゼンスルホン酸、Ｃ１０〜１６アルキルベンゼンスルホン酸のアルカリ金属塩から選択されるＨＬＡＳ界面活性剤を含有する。更に、ＨＬＡＳ界面活性剤の界面活性剤総量に対する比率は、重量ベースで約１：１４〜約５：７であり、モノエタノールアミンの界面活性剤総量に対する比率は約１：１５〜約１：４であり、及び水不溶性増白剤の界面活性剤総量に対する比率は約１：１００より低い。
【００１０】
更なる実施形態では、本発明は、界面活性剤成分に当該洗濯組成物の約１重量％〜約９重量％のＨＬＡＳ界面活性剤を含有する組成物に関する。
【００１１】
更なる実施形態では、本発明は、ＨＬＡＳ界面活性剤の界面活性剤成分に対する比率が、重量ベースで、約１：１４〜約１：２である組成物に関する。
【００１２】
更なる実施形態では、本発明は、洗濯組成物が、当該組成物の約１．２重量％〜約４重量％のモノエタノールアミンを含有し、界面活性剤総量に対するモノエタノールアミンの比率が約１：１２〜約１：６である組成物に関する。
【００１３】
更なる実施形態では、本発明は、界面活性剤総量に対する水不溶性増白剤の比率が約１：１３０よりも低い組成物に関する。
【００１４】
更なる実施形態では、本発明は、５０℃で測定した場合に、水不溶性蛍光増白剤の水溶解度が約０．２ｇ／Ｌ〜約２ｇ／Ｌである組成物に関する。
【００１５】
更なる実施形態では、本発明は、水不溶性蛍光増白剤がジナトリウム４，４’−ビス｛［４−アニリノ−６モルホリノ−ｓ−トリアジン−２−イル］アミノ｝−２，２’−スチルベンジスルホネート、ジナトリウム４，４’−ビス−（２−スルホストリル）ビフェニル、ジナトリウム４，４’−ビス−［｛４，６−ジ−アニリノ−ｓ−トリアジン（triazin）−２−イル］−アミノ｝−２，２’スチルベンジスルホネート、及びこれらの混合物から選択される組成物に関する。
【００１６】
更なる実施形態では、本発明は、洗濯組成物が、当該洗濯組成物の約０．０３重量％〜約０．２重量％の蛍光増白剤を含む組成物に関する。
【００１７】
更なる実施形態では、本発明は、ＨＬＡＳ界面活性剤がＣ１１〜１４アルキルベンゼンスルホン酸及びこれらの混合物から選択される組成物に関する。
【００１８】
更なる実施形態では、本発明は、ＨＬＡＳ界面活性剤が直鎖アルキルベンゼンスルホン酸塩及びこれらの混合物から選択される組成物に関する。
【００１９】
更なる実施形態では、本発明は、ＨＬＡＳ界面活性剤が直鎖アルキルベンゼンスルホン酸ナトリウム類及びこれらの混合物から選択される組成物に関する。
【００２０】
更なる実施形態では、本発明は、組成物が、当該洗濯組成物の約０．５重量％〜約９重量％の、アルキルベンゼンスルホン酸、Ｃ１０〜１６アルキルベンゼンスルホン酸のアルカリ金属塩から選択されるＨＬＡＳ界面活性剤を含有する組成物に関する。
【００２１】
更なる実施形態では、本発明は、界面活性剤成分がアニオン性界面活性剤、非イオン性界面活性剤、メチルエステルスルホネート、アミンオキシド、他のカチオン性界面活性剤、及びこれらの混合物から選択される追加の界面活性剤を更に含む組成物に関する。
【００２２】
更なる実施形態では、本発明は、追加の界面活性剤がＡＥＳ、非イオン性界面活性剤、及びこれらの混合物から選択される組成物に関する。
【００２３】
更なる実施形態では、本発明は、界面活性剤成分が、当該洗濯組成物の約０．２重量％〜約３重量％の、非イオン性界面活性剤から選択される追加の界面活性剤を更に含む組成物に関する。
【００２４】
更なる実施形態では、本発明は、洗濯組成物が、当該洗濯組成物の約０．５重量％〜約１．５重量％のホウ砂を更に含む組成物に関する。
【００２５】
更なる実施形態では、本発明は、洗濯組成物のｐＨが約８．０〜約８．７である組成物に関する。
【００２６】
更なる実施形態では、本発明は、洗濯組成物が透明又は半透明である組成物に関する。
【００２７】
更なる実施形態では、本発明は、洗濯組成物が容器に保管され、当該容器が透明又は半透明である組成物に関する。
【００２８】
更なる実施形態では、本発明は、洗濯組成物が、ビルダー、追加の増白剤、移染防止剤、構造剤、キレート剤、ポリアクリレートポリマー、分散剤、染料、香料、加工助剤、漂白化合物、溶媒、酵素、マイクロカプセル、ビーズ、汚れ放出ポリマー、及びこれらの混合物から選択される洗濯補助剤成分を更に含む組成物に関する。
【００２９】
本発明の別の態様では、蛍光増白剤を含有し、向上した増白剤の安定性を備える液体洗濯洗剤を提供する。この組成物は、当該洗濯組成物の約６重量％〜約２０重量％の界面活性剤成分、当該洗濯組成物の約０．０３重量％〜約０．２重量％の蛍光増白剤（この蛍光増白剤は、約５０℃で測定した場合の水溶解度が０〜約２ｇ／Ｌの水不溶性蛍光増白剤あり、ジナトリウム４，４’−ビス｛［４−アニリノ−６モルホリノ−ｓ−トリアジン−２−イル］アミノ｝−２，２’−スチルベンジスルホネート、ジナトリウム４，４’−ビス−（２−スルホストリル）ビフェニル、ジナトリウム４，４’−ビス−［｛４，６−ジ−アニリノ−ｓ−トリアジン−２−イル］−アミノ｝−２，２’スチルベンジスルホネート、及びこれらの混合物から選択される）、及び当該洗濯組成物の約０．５重量％〜約４重量％のモノエタノールアミンを含有する。界面活性剤成分は、当該洗濯組成物の約１重量％〜約６重量％の、平均炭素鎖長が約１６〜約１７である中鎖分岐一級アルキルサルフェート界面活性剤及び当該洗濯組成物の約０．５重量％〜約９重量％の、アルキルベンゼンスルホン酸、Ｃ１０〜１６アルキルベンゼンスルホン酸のアルカリ金属塩から選択されるＨＬＡＳ界面活性剤を含有する。組成物は、重量ベースで約１：１４〜約５：７のＨＬＡＳ界面活性剤の界面活性剤成分総量に対する比率、約１：１５〜約１：４のモノエタノールアミンの総界面活性剤に対する比率、及び１：１００より低い水不溶性増白剤の総界面活性剤に対する比率を更に含む。
【００３０】
本発明の別の態様では、水不溶性増白剤の布地への付着を向上させるための方法を提供する。当該方法は、少なくとも：
Ａ）液体洗濯洗剤を製造する工程であって、この液体洗濯洗剤が、
ａ）当該洗濯組成物の約６重量％〜約２０重量％の界面活性剤成分であって、
ｉ）当該洗濯組成物の約１重量％〜約６重量％の、平均炭素鎖長が約１６〜約１７である中鎖分岐一級アルキルサルフェート界面活性剤；
ｉｉ）当該洗濯組成物の約０．５重量％〜約９重量％の、アルキルベンゼンスルホン酸、Ｃ１０〜１６アルキルベンゼンスルホン酸のアルカリ金属塩から選択されるＨＬＡＳ界面活性剤、を含んでなる界面活性剤成分、
ｂ）当該洗濯組成物の約０．０３重量％〜約０．２重量％の蛍光増白剤であって、約５０℃で測定した場合の水溶解度が０〜約２ｇ／Ｌの水不溶性蛍光増白剤である蛍光増白剤、及び
ｃ）当該洗濯組成物の約０．５重量％〜約４重量％のモノエタノールアミンを含んでなり、
ＨＬＡＳ界面活性剤の界面活性剤成分総量に対する比率が、重量ベースで約１：１４〜約５：７であり、モノエタノールアミンの界面活性剤成分総量に対する比率が約１：１５〜約１：４であり、水不溶性増白剤の界面活性剤成分総量に対する比率が約１：１００より低いものである、工程と、
Ｂ）液体洗濯組成物を標準的な洗濯機の洗浄水に加える工程と、
Ｃ）布地を洗濯機に加える工程と、
Ｄ）洗浄サイクルを実行する工程と、を少なくとも含んでなる、方法。
【００３１】
本発明の組成物及び方法は、良好な洗浄力及びコスト効率の良い界面活性剤系を維持しつつも、向上した水不溶性増白剤の安定性を提供する点で有益である。その他の目的と利点は本発明の詳細な説明を考慮すれば明らかとなる。
【００３２】
本発明のこれら及び他の特徴、態様及び利点は、本発明の開示を読むことによって当業者に明白となろう。
【発明を実施するための最良の形態】
【００３３】
本発明の洗濯洗剤組成物は、一般に、液状の形態である。一実施形態では、前記組成物は形態が液体であり且つ重質液体組成物を含む。
【００３４】
特に明示していない限り、本明細書で使用する全てのパーセンテージ及び割合は、総組成物の重量を基準とするものであり、測定は全て２５℃で実施する。
【００３５】
本発明の組成物は、本発明の成分並びに本明細書で記載されるその他の成分を包含することができ、それらから本質的に成ることができ、又はそれらから成ることができる。本明細書で使用するとき、「から本質的に成る」とは、組成物又は成分が追加成分を包含してよいが、それら追加成分が特許請求される組成物又は方法の基本的及び新規な特徴を大きく変化させない場合に限ることを意味する。
【００３６】
すべての百分率、割合及び比率は特に指定しない限り、本発明の液体洗濯洗剤組成物の全重量に基づく。列挙する成分に関連するこのようなすべての重量は、活性レベルに基づくので、特に指定しない限り、市販の物質に包含される場合があるキャリアや副生成物を包含しない。
【００３７】
洗濯組成物の約６重量％〜２０重量％の界面活性剤成分（当該洗濯組成物の約１重量％〜約６重量％の、平均炭素鎖長が約１６〜約１７である中鎖分岐一級アルキルサルフェート界面活性剤、及び当該洗濯組成物の約０．５重量％〜約９重量％の、アルキルベンゼンスルホン酸、Ｃ１０〜１６アルキルベンゼンスルホン酸のアルカリ金属塩から選択されるＨＬＡＳ界面活性剤を含む）を含有する液体洗濯組成物が、当該洗濯組成物の約０．０３重量％〜約０．２重量％の、約５０℃で測定した場合の水溶解度が０〜約２ｇ／Ｌである水不溶性蛍光増白剤と、当該洗濯組成物の約０．５重量％〜約４重量％のモノエタノールアミンと組み合わせて、低界面活性系のコスト効率性を維持しつつも、向上した増白剤の安定性及び良好な洗浄特性を示すことができる。ここで当該組成物は、重量ベースで約１：１４〜約５：７のＨＬＡＳ界面活性剤の界面活性剤成分総量に対する比率、約１：１５〜１：４のＭＥＡの総界面活性剤に対する比率、及び１：１００より低い水不溶性増白剤の総界面活性剤に対する比率も示す。
【００３８】
理論によって制限されることなく、ＨＬＡＳ界面活性剤及びＭＬＡＳ界面活性剤の芳香環など芳香環を有する界面活性剤の存在は、水不溶性増白剤と水相との相溶性を増加させ、ＭＥＡは、最低限の増白剤対イオンを用いてＨＳＡＳ界面活性剤の増白剤不安定性効果を打ち消すと考えられる。これによって、より高レベルのＭＥＡが放つ望ましくない悪臭のない、ＨＳＡＳ界面活性剤の（コスト効率の良い、全界面活性剤レベルが低い場合でも）良好な洗浄特性を備える、（布地に良好に付着する）水不溶性増白剤を含む望ましい液体洗濯洗剤が可能になる。
【００３９】
本明細書の組成物はまた、多種多様なその他の成分を含んでもよい。本明細書は、本発明を具体的に示し且つ明確に主張する特許請求の範囲をもって結論とするが、本発明は以下の説明によってより深く理解されると考えられる。
【００４０】
液体洗濯洗剤組成物
本明細書で使用する時、「液体洗濯洗剤組成物」は、繊維、布地、衣類、及びそれに類するものの洗浄に有用な組成物を意味する。かかる洗濯組成物は、室温で注入する又は絞ることが可能な粘度を有する。
【００４１】
水不溶性蛍光増白剤
蛍光増白剤は、洗濯洗剤組成物で用いられ、蛍光増白剤が白色の衣類をより白く見せ、及び／又は色付き衣類の色をより鮮明に見せ、従って衣類をより新しく見せることがあるため、布地に付着すると視覚的利益をもたらすことは当該技術分野において周知である。本明細書で使用する時、「水不溶性蛍光増白剤」は、約５０℃で測定した場合に、水溶解度が０〜約２ｇ／Ｌである蛍光増白剤を意味する。一実施形態では、蛍光増白剤の水溶解度は、約５０℃で測定した場合に約０．２〜約２ｇ／Ｌである。本発明の洗濯洗剤組成物は、当該洗濯組成物の約０．０３重量％〜約０．２重量％の水不溶性蛍光増白剤を含む。
【００４２】
本発明の洗濯組成物は、約１：１００よりも低い界面活性成分に対する水不溶性蛍光増白剤の比率、あるいは約１：１３０よりも低い界面活性成分に対する水不溶性蛍光増白剤の比率を含む。
【００４３】
本明細書で有用な水不溶性蛍光増白剤の例としては、ジナトリウム４，４’−ビス｛［４−アニリノ−６モルホリノ−ｓ−トリアジン−２−イル］アミノ｝−２，２’−スチルベンジスルホネート（チノパルＡＭＳ−ＧＸ（TINOPAL AMS-GX）という商品名でチバガイギー（Ciba-Geigy）から、又はブランクフォアＤＭＬ（BLANKOPHOR DML）という名前でマイルズ（Miles）から市販されている）、ジナトリウム４，４’−ビス−（２−スルホストリル）ビフェニル（チノパルＣＢＳ（TINOPAL CBS）という商品名でチバガイギー（Ciba-Geigy）から市販されている）、ジナトリウム４，４’−ビス−［｛４，６−ジ−アニリノ−ｓ−トリアジン−２−イル］−アミノ｝−２，２’スチルベンジスルホネート（チノパルＴＡＳ（TINOPAL TAS）という商品名でチバガイギー（Ciba-Geigy）から市販されている）が挙げられる。
【００４４】
界面活性剤成分
本発明の洗濯組成物は、当該洗濯組成物の約６重量％〜約２０重量％の界面活性剤成分を含有する。界面活性剤成分は、ＨＳＡＳ界面活性剤、ＨＬＡＳ界面活性剤を含有し、他の追加の界面活性剤を含有してよい。
【００４５】
本明細書で使用する時、「ＨＬＡＳ界面活性剤」とは、アルキルベンゼンスルホン酸及びＣ１０〜１６アルキルベンゼンスルホン酸、好ましくはＣ１１〜１４アルキルベンゼンスルホン酸のアルカリ金属塩を意味する。アルカリ基は直鎖状であり得るが、そのような直鎖アルキルベンゼンスルホン酸塩類は、「ＬＡＳ」として既知である。あるいは、アルカリ基は、米国特許第６，５９３，２８５号、同６，５９６，６８０号、同６，３０６，８１７号、及び同６，５８９，９２７号に記載されているように分枝状でもあり得る。そのような界面活性剤は、分枝アルキルベンゼンスルホン酸として当該技術分野において既知である。アルキルベンゼンスルスルホン酸類、特にＬＡＳは、当該技術分野において周知である。そのような界面活性剤およびそれらの調製は、例えば、米国特許第２，２２０，０９９号および同第２，４７７，３８３号に記載されている。ＨＬＡＳ界面活性剤の例は直鎖アルキルベンゼンスルホン酸ナトリウムであり、一般に「ＮａＬＡＳ」と呼ばれている。
【００４６】
一実施形態では、組成物は、当該洗濯組成物の約０．５重量％〜約９重量％のＨＬＡＳを含有し、ＨＬＡＳ界面活性剤の界面活性剤成分総量に対する比率は、重量ベースで約１：１４〜約５：７である。一実施形態では、ＨＬＡＳ界面活性剤の界面活性剤成分総量に対する比率は、約１：１４〜約１：２である。本明細書で使用する時、「ＨＬＡＳ界面活性剤」は、ＨＬＡＳ界面活性剤の混合物を含むものとして理解されるべきである。
【００４７】
本明細書で使用する時、「ＨＳＡＳ界面活性剤」は、平均炭素鎖長が約１６〜約１７である中鎖分岐一級アルキルサルフェート界面活性剤の部類を意味する。一実施形態では、界面活性剤成分は、当該界面活性剤成分の５０重量％以下のＨＳＡＳ界面活性剤を含有する。一実施形態では、組成物は、当該洗濯組成物の約１重量％〜約６重量％のＨＳＡＳ界面活性剤を含有する。本明細書で使用する時、「ＨＳＡＳ界面活性剤」は、ＨＳＡＳ界面活性剤の混合物を含むものとしても理解されるべきである。
【００４８】
発明の洗濯組成物は、以下の一般式を有する中鎖分岐一級アルキルサルフェート界面活性剤を含む。
【化１】
2009518493.tif 000002
【００４９】
一般に、界面活性剤成分は、少なくとも２つの中鎖分岐一級アルキルサルフェート界面活性剤の混合物を含有する。一実施形態では、界面活性剤成分は、多数の他の界面活性剤物質及びこのような物質の製造手順に起因して存在する類似の副生成物をも含有する。中鎖分岐一級アルキルサルフェート界面活性剤類の領域における通常の技術の１つによってこのことは理解される。
【００５０】
本発明の中鎖分枝一級アルキルサルフェート界面活性剤の混合物は、直鎖一級アルキルサルフェート鎖の主鎖（即ち、硫酸化炭素原子を包含する最長の直鎖炭素鎖）を有する分子を含む。これらのアルキル鎖骨格は、約６〜約１６個の炭素原子、あるいは約１３〜約１５個の炭素原子を含み、更に、この分子は少なくとも約１４個、しかし約１７個以下の炭素原子総数を有する分枝状一級アルキル部分を含む。更に、中鎖分枝一級アルキルサルフェート界面活性剤の混合物は、分枝状一級アルキル部分に約１６個〜約１７個の範囲内の平均炭素原子総数を有する。従って、本発明の混合物は、少なくとも１４個の炭素原子又は１６個超の炭素原子を含む最長の直鎖炭素鎖を有する、少なくとも１つの分枝一級アルキルサルフェート界面活性剤を含む。
【００５１】
例えば、主鎖に１４個の炭素原子を有するＣ１６全炭素一級アルキルサルフェート界面活性剤は、１個及び２個の分枝単位（即ち、Ｒ、Ｒ１、及び／又はＲ３）を有する必要がある。それによって、分子内の炭素原子の総数は約１６個〜約１７個となる。この例において、Ｃ１６全炭素の要件は、例えば、１個のエチル分枝単位又は２個のメチル分枝単位を有することによっても同様に満たすことができる。
【００５２】
Ｒ、Ｒ１、及びＲ２は、それぞれ水素及びＣ１〜Ｃ３アルキル（あるいは、水素又はＣ１〜Ｃ２アルキル、あるいは、水素又はメチル、及び一実施形態では、メチル基）から独立して選択されるが、Ｒ、Ｒ１、及びＲ２の全てが水素ではないという条件がある。更に、ｚが１の場合、少なくともＲ又はＲ１は水素ではない。
【００５３】
本発明の目的にとっては、上記の化学式の洗濯組成物は、単位Ｒ、Ｒ１、及びＲ２が全て水素である分子（即ち、直鎖非分岐一級アルキルサルフェート界面活性剤類）を包含しないが、本発明の組成物は、依然として若干の直鎖非分岐一級アルキルサルフェート界面活性剤を含んでよいものと認識されるべきである。更に、この直鎖非分岐一級アルキルサルフェート界面活性剤は、必要な１つ以上の本発明の中鎖分岐一級アルキルサルフェート界面活性剤類を有する中鎖分岐一級アルキルサルフェート界面活性剤混合物を製造するために使用されるプロセスの結果として存在してよく、又は洗剤組成物を処方する目的のために、若干の直鎖非分岐一級アルキルサルフェートを最終製品処方内に混合してもよい。
【００５４】
更に、非硫酸化中鎖分岐アルコールは、本発明の組成物を若干含んでよいことも同様に認識されるべきである。このような物質は、中鎖分岐一級アルキルサルフェート界面活性剤を調製するために使用されるアルコール類の不完全な硫酸化の結果として存在してよく、又はこれらのアルコール類は別個に本発明の洗剤組成物へ本発明の中鎖分岐アルキルサルフェート界面活性剤とともに添加してもよい。
【００５５】
Ｍは、合成方法に応じて、水素又は塩形成カチオンである。塩形成カチオンの例は、リチウム、ナトリウム、カリウム、カルシウム、マグネシウム、次の化学式を有する四級アルキルアミンである。
【化２】
2009518493.tif 000003
（式中、Ｒ３、Ｒ４、Ｒ５又はＲ６は、独立して水素、Ｃ１〜Ｃ２２アルキレン、Ｃ４〜Ｃ２２分枝状アルキレン、Ｃ１〜Ｃ６アルカノール、Ｃ１〜Ｃ２２アルケニレン、Ｃ４〜Ｃ２２分枝状アルケニレン、及びこれらの混合物である。）好ましいカチオン類は、アンモニウム（Ｒ３、Ｒ４、Ｒ５及びＲ６は、同様に水素である）、ナトリウム、カリウム、モノ−、ジ−、及びトリアルカノールアンモニウム、及びこれらの混合物である。本発明のモノアルカノールアンモニウム化合物は、Ｃ１〜Ｃ６アルカノールに相当するＲ３、Ｒ４、Ｒ５及び水素に相当するＲ６を有し；本発明のジアルカノールアンモニウム化合物は、Ｒ３及びＣ１〜Ｃ６アルカノールに相当するＲ４、Ｒ５及び水素に相当するＲ６を有し；本発明のトリアルカノールアンモニウム化合物は、Ｒ３、Ｒ４及びＣ１〜Ｃ６アルカノールに相当するＲ５、水素に相当するＲ６を有する。本発明の好ましいアルカノールアンモニウム塩は、次の化学式を有するモノ−、ジ−及びトリ−第四級アンモニウム化合物である。
【００５６】
Ｈ３Ｎ＋ＣＨ２ＣＨ２ＯＨ、Ｈ２Ｎ＋（ＣＨ２ＣＨ２ＯＨ）２、ＨＮ＋（ＣＨ２ＣＨ２ＯＨ）３
好ましいＭは、ナトリウム、カリウム及び上記に掲載されたＣ２アルカノールアンモニウム塩であり、ナトリウムが最も好ましい。
【００５７】
上記化学式について更に述べると、ｗは、０〜７の整数；ｘは、０〜７の整数；ｙは、０〜７の整数；ｚは、少なくとも１の整数；且つｗ＋ｘ＋ｙ＋ｚは、１〜１１、あるいは、７〜１０の整数である。
【００５８】
ある種の分岐箇所（即ち、上記の化学式内のＲ、Ｒ１、及び／又はＲ２部分の鎖に沿った場所）が界面活性剤の主鎖に沿った他の分岐箇所より好ましい。以下の化学式は、本発明のモノメチル置換直鎖アルキルサルフェート類のための中鎖分岐範囲（即ち、分岐点が生じる場所）、好ましい中鎖分岐範囲、及びより好ましい中鎖分岐範囲を示す。
【化３】
2009518493.tif 000004
【００５９】
モノ−メチル置換された界面活性剤類に関して、このような範囲は、鎖の２つの末端炭素原子及びサルフェート基のすぐ隣の２つの炭素原子を排除していることに留意すべきである。２つ又はそれ以上のＲ、Ｒ1、又はＲ２、２−炭素原子で分岐するアルキルを含む中鎖分枝一級アルキルサルフェート界面活性剤類は、本発明の範囲内である。しかし、エチルより長い鎖（即ち、Ｃ３アルキル置換基）を２−炭素原子上に有する界面活性剤類は、より好ましくない。
【００６０】
以下の化学式は、本発明のジメチル置換直鎖アルキルサルフェート類のための中鎖分岐範囲、好ましい中鎖分岐範囲、及びより好ましい中鎖分岐範囲を示す。
【化４】
2009518493.tif 000005
【００６１】
ジ−アルキル置換一級アルキルサルフェート類が、モノ−置換中鎖分岐一級アルキルサルフェート界面活性剤類と組み合わされる場合、１つのメチル置換を２−炭素位置上に及び別のメチル置換を上記の好ましい範囲内に有するジ−アルキル置換一級アルキルサルフェート類は、本発明の範囲内である。
【００６２】
一実施形態では、本発明の界面活性剤成分は、当該界面活性剤成分の少なくとも０．００１重量％、あるいは少なくとも１重量％の、以下の化学式を有する１以上の中鎖分枝一級アルキルサルフェート界面活性剤を含む：
【化５】
2009518493.tif 000006
式中、分岐を含む炭素原子の総数は、１６〜１７であり、
Ｒ１及びＲ２はそれぞれ独立して水素又はＣ１〜Ｃ３アルキルであり；Ｍは水溶性カチオンであり；ｘは０〜７であり；ｙは０〜７であり；ｚは少なくとも２であり；且つｘ＋ｙ＋ｚは２〜１０であるが；Ｒ１及びＲ２はどちらも水素でないという条件がある。あるいは、一実施形態では、本発明の洗濯組成物は、当該界面活性剤成分の少なくとも１重量％の１以上の中鎖分枝一級アルキルサルフェート界面活性剤類を含有し、ｘ＋ｙ＋ｚは９又は１０に等しく、ｚは２である。
【００６３】
一実施形態では、中鎖分枝一級アルキルサルフェート界面活性剤は以下の化学式を有する：
【化６】
2009518493.tif 000007
式中：ａ及びｂは整数であり、且つａ＋ｂは１２又は１３であり、ａは２〜１１の整数であり、ｂは１〜１０の整数であり、Ｍはナトリウム、カリウム、
アンモニウム、及び置換アンモニウムから選択される。このような化合物のより好ましい実施形態としては、前記化学式（式中、Ｍはナトリウム、カリウム及びアンモニウムから選択される）のアルキルサルフェート化合物が挙げられる。
【００６４】
一実施形態では、中鎖分枝一級アルキルサルフェート化合物は以下の化学式を有する：
【化７】
2009518493.tif 000008
式中：
ｄとｅとは整数であり、且つｄ＋ｅは１０又は１１であり；及び、式中更に
ｄ＋ｅ＝１０の場合、ｄは２〜９の整数であり、ｅは１〜８の整数であり；
ｄ＋ｅ＝１１の場合、ｄは２〜１０の整数であり、ｅは１〜９の整数であり；
並びにＭはナトリウム、カリウム、アンモニウム及び置換アンモニウムから選択され、より好ましくはナトリウム、カリウム、及びアンモニウムから選択され、最も好ましくはナトリウムである。
【００６５】
一実施形態では、モノ−メチル分岐一級アルキルサルフェート界面活性剤類は、３−メチルペンタデカノールサルフェート、４−メチルペンタデカノールサルフェート、５−メチルペンタデカノールサルフェート、６−メチルペンタデカノールサルフェート、７−メチルペンタデカノールサルフェート、８−メチルペンタデカノールサルフェート、９−メチルペンタデカノールサルフェート、１０−メチルペンタデカノールサルフェート、１１−メチルペンタデカノールサルフェート、１２−メチルペンタデカノールサルフェート、１３−メチルペンタデカノールサルフェート、３−メチルヘキサデカノールサルフェート、４−メチルヘキサデカノールサルフェート、５−メチルヘキサデカノールサルフェート、６−メチルヘキサデカノールサルフェート、７−メチルヘキサデカノールサルフェート、８−メチルヘキサデカノールサルフェート、９−メチルヘキサデカノールサルフェート、１０−メチルヘキサデカノールサルフェート、１１−メチルヘキサデカノールサルフェート、１２−メチルヘキサデカノールサルフェート、１３−メチルヘキサデカノールサルフェート、１４−メチルヘキサデカノールサルフェート、及びこれらの混合物から成る群から選択される。
【００６６】
一実施形態では、ジ−メチル分岐一級アルキルサルフェート界面活性剤類は、２，３−メチルテトラデカノールサルフェート、２，４−メチルテトラデカノールサルフェート、２，５−メチルテトラデカノールサルフェート、２，６−メチルテトラデカノールサルフェート、２，７−メチルテトラデカノールサルフェート、２，８−メチルテトラデカノールサルフェート、２，９−メチルテトラデカノールサルフェート、２，１０−メチルテトラデカノールサルフェート、２，１１−メチルテトラデカノールサルフェート、２，１２−メチルテトラデカノールサルフェート、２，３−メチルペンタデカノールサルフェート、２，４−メチルペンタデカノールサルフェート、２，５−メチルペンタデカノールサルフェート、２，６−メチルペンタデカノールサルフェート、２，７−メチルペンタデカノールサルフェート、２，８−メチルペンタデカノールサルフェート、２，９−メチルペンタデカノールサルフェート、２，１０−メチルペンタデカノールサルフェート、２，１１−メチルペンタデカノールサルフェート、２，１２−メチルペンタデカノールサルフェート、２，１３−メチルペンタデカノールサルフェート、及びこれらの混合物から成る群から選択される。
【００６７】
１６個の炭素原子を含み且つ１個の分岐単位を有する下記中鎖分岐一級アルキルサルフェート界面活性剤は、本発明の洗濯組成物で有用な分岐状界面活性剤の例である。
【００６８】
次式を有する５−メチルペンタデシルサルフェート：
【化８】
2009518493.tif 000009
次式を有する６−メチルペンタデシルサルフェート：
【化９】
2009518493.tif 000010
次式を有する７−メチルペンタデシルサルフェート：
【化１０】
2009518493.tif 000011
次式を有する８−メチルペンタデシルサルフェート：
【化１１】
2009518493.tif 000012
次式を有する９−メチルペンタデシルサルフェート：
【化１２】
2009518493.tif 000013
次式を有する１０−メチルペンタデシルサルフェート：
【化１３】
2009518493.tif 000014
（式中、Ｍは、好ましくはナトリウムである。）
【００６９】
１７個の炭素原子を含み且つ２個の分岐単位を有する下記中鎖分岐一級アルキルサルフェートは、本発明の洗濯組成物で有用な分岐状界面活性剤の例である。
【００７０】
次式を有する２，５−ジメチルペンタデシルサルフェート：
【化１４】
2009518493.tif 000015
次式を有する２，６−ジメチルペンタデシルサルフェート：
【化１５】
2009518493.tif 000016
次式を有する２，７−ジメチルペンタデシルサルフェート：
【化１６】
2009518493.tif 000017
次式を有する２，８−ジメチルペンタデシルサルフェート：
【化１７】
2009518493.tif 000018
次式を有する２，９−ジメチルペンタデシルサルフェート：
【化１８】
2009518493.tif 000019
次式を有する２，１０−ジメチルペンタデシルサルフェート：
【化１９】
2009518493.tif 000020
（式中、Ｍは、好ましくはナトリウムである。）
【００７１】
追加の界面活性剤
本発明の組成物は、当該組成物の約０．５重量％〜約９重量％のＨＬＡＳ界面活性剤、及び当該組成物の少なくとも約２重量％の、アルキルアルコキシサルフェート界面活性剤類から選択される追加の界面活性剤を更に含んでよい。本発明の組成物は、約０．２〜３％のアルキルアルコキシ界面活性剤類及びこれらの混合物を更に含んでよい。
【００７２】
一実施形態では、界面活性剤成分は当該洗濯組成物の約０．２重量％〜約３重量％、あるいは約０．２重量％〜約２重量％の、非イオン性界面活性剤から選択される追加の界面活性剤を含む。
【００７３】
（ａ）アルキルアルコキシサルフェート界面活性剤
追加の界面活性剤は、当該組成物の少なくとも２重量％のアルキルアルコキシサルフェート界面活性剤を含んでよい。本明細書で有用な前記アルキルエトキシサルフェート界面活性剤としては、化学式ＲＯ（Ａ）ｍＳＯ３Ｍ（式中、Ｒは、Ｃ１０〜Ｃ２４アルキル成分、あるいはＣ１２〜Ｃ１８アルキル又はヒドロキシアルキル、あるいはＣ１２〜Ｃ１５アルキル又はヒドロキシアルキルを有する非置換Ｃ１０〜Ｃ２４アルキル又はヒドロキシアルキル基）の水溶性塩類及び／又は酸類が挙げられる。Ａはエトキシ又はプロポキシ単位であり、ｍはゼロより大きく、典型的には約０．５〜約６の間、あるいは約０．５〜約３の間であり、且つＭはＨ又はカチオンであり、これは例えば、金属カチオン（例えば、ナトリウム、カリウム、リチウム、カルシウム、マグネシウム、等）、アンモニウム及び／又は置換アンモニウムカチオンであることができる。アルキルエトキシル化サルフェート類並びにアルキルプロポキシル化サルフェート類が、本明細書で有用である。置換アンモニウムカチオン類の例としては、エタノール−、トリエタノール−、メチル−、ジメチル−、トリメチル−アンモニウムカチオン類並びにテトラメチル−アンモニウムカチオン類及びジメチルピペリジニウムカチオン類などの四級アンモニウムカチオン類、並びにエチルアミン、ジエチルアミン、トリエチルアミン、これらの混合物などのアルキルアミン類から誘導されるものなどが挙げられる。本明細書で有用なアルキルアルコキシル化サルフェート界面活性剤類としては、Ｃ１２〜Ｃ１５アルキルポリエトキシレート（１．０）サルフェート（Ｃ１２〜Ｃ１５Ｅ（１．０）Ｍ）；Ｃ１２〜Ｃ１５アルキルポリエトキシレート（２．２５）サルフェート（Ｃ１２〜Ｃ１５Ｅ（２．２５）Ｍ）；Ｃ１２〜Ｃ１５アルキルポリエトキシレート（３．０）サルフェート（Ｃ１２〜Ｃ１５Ｅ（３．０）Ｍ）；Ｃ１２〜Ｃ１５アルキルポリエトキシレート（４．０）サルフェート（Ｃ１２〜Ｃ１５Ｅ（４．０）Ｍ）が挙げられる。（式中、Ｍはナトリウム及びカリウム、並びにこれらの混合物から都合良く選択される。）
【００７４】
（ｂ）アルキルアルコキシ界面活性剤
追加の界面活性剤は、当該組成物の約０．２重量％〜約３重量％の、アルキルアルコキシ界面活性剤である非イオン性界面活性剤でよい。
【００７５】
本明細書で有用なアルキルアルコキシ界面活性剤類の例（典型的には、当該組成物の約０．２重量％〜約３重量％の濃度である）としては、アルコキシル化アルコール類（ＡＥ）及びアルキルフェノール類、ポリヒドロキシ脂肪酸アミド類（ＰＦＡＡ）、アルキルポリグリコシド類（ＡＰＧ）、Ｃ１０〜Ｃ１８グリセロールエーテル類、並びにこれらの混合物が挙げられる。
【００７６】
より具体的には、約１〜約２５モルのエチレンオキシド（ＡＥ）との一級及び二級脂肪族アルコール類の縮合生成物は、本明細書において、アルキルアルコキシ界面活性剤として用いるのに適している。脂肪族アルコールのアルキル鎖は、直鎖又は分岐鎖、一級又は二級のいずれかであることができ、一般に約８〜約２２個の炭素原子を有する。一実施形態では、前記アルキルアルコキシ界面活性剤は、約８〜約２０個の炭素原子、より好ましくは約１０〜約１８個の炭素原子を含有するアルキル基を有するアルコール類と、アルコール１モル当たり約１〜約１０モル、好ましくは２〜７モル、最も好ましくは２〜５モルのエチレンオキシドとの縮合生成物から選択される。一実施形態では、アルキルアルコキシ界面活性剤類は、アルコール１モル当たり３〜１２モルのエチレンオキシドを含有するＣ９〜Ｃ１５一級アルコールエトキシレート類、特にアルコール１モル当たり５〜１０モルのエチレンオキシドを含有するＣ１２〜Ｃ１５一級アルコール類である。
【００７７】
この種の市販の界面活性剤の例としては、タージトール（Tergitol）（登録商標）１５−Ｓ−９（９モルのエチレンオキシドとＣ１１〜Ｃ１５直鎖二級アルコールとの縮合生成物）及びタージトール（登録商標）２４−Ｌ−６ＮＭＷ（分子量分布の狭い６モルのエチレンオキシドとＣ１２〜Ｃ１４一級アルコールとの縮合生成物）（双方ともユニオンカーバイド社（Union Carbide Corporation）より販売）；ネオドール（Neodol）（登録商標）４５−９（９モルのエチレンオキシドとＣ１４〜Ｃ１５直鎖アルコールとの縮合生成物）；ネオドール（登録商標）２３−３（３モルのエチレンオキシドとＣ１２〜Ｃ１３直鎖アルコールとの縮合生成物）、ネオドール（登録商標）４５−７（７モルのエチレンオキシドとＣ１４〜Ｃ１５直鎖アルコールとの縮合生成物）及びネオドール（登録商標）４５−５（５モルのエチレンオキシドとＣ１４〜Ｃ１５直鎖アルコールとの縮合生成物）（シェル化学社（Shell Chemical Company）より販売）；キロ（Kyro）（登録商標）ＥＯＢ（９モルのエチレンオキシドとＣ１３〜Ｃ１５アルコールとの縮合生成物（プロクター＆ギャンブル社（The Procter & Gamble Company）より販売）；及びゲナポール（Genapol）ＬＡ０３０又は０５０（３〜５モルのエチレンオキシドとＣ１２〜Ｃ１４アルコールとの縮合生成物）（ヘキスト社より販売）が挙げられる。プロピレンオキシドとの縮合物及びブチレンオキシドとの縮合物もまた用いられてよい。
【００７８】
モノエタノールアミン
本発明の洗濯組成物は、当該洗濯組成物の約０．５重量％〜約１．５重量％のモノエタノールアミン（「ＭＥＡ」）を更に含有してよい。一実施形態では、総界面活性剤に対するＭＥＡの比率は、重量ベースで約１：１５〜約１：４、あるいは約１：１２〜約１：６である。
【００７９】
他のアルカノールアミンをＭＥＡの代替物として使用することができる。好適なアルカノールアミンは、ジエタノールアミン、トリエタノールアミン、並びに互いの混合物及びＭＥＡとの混合物である。アルカノールアミン及びこれらの混合物の好ましいレベルの範囲は、約０．５％〜約４．０％である。本発明の好適な実施形態において、アルカノールアミンは塩の形態であり、例えば酸の形態の界面活性剤を中和するために使用される。
【００８０】
ホウ砂
本発明の洗濯組成物は、当該洗濯組成物の約０．５重量％〜約１．５重量％のホウ砂を更に含有してよい。理論によって制限されることなく、このレベルのホウ砂を含有させることは、十分な酵素安定性をもたらすと考えられる。
【００８１】
ｐＨ
本発明の液体洗濯洗剤組成物のｐＨは、約８．０〜約８．７でよい。
【００８２】
透明／半透明
本発明の液体洗濯洗剤組成物は、透明若しくは半透明になるように製造されてよく、又は不透明になるように、若しくは任意の望ましい程度の不透明度／透明性を有するように製造されてよい。本発明の液体洗濯洗剤組成物は、任意の望ましい程度の透明性又は不透明度を有する容器／ボトルに収められてよい。本発明の液体洗濯洗剤組成物は容器／ボトルに保存されてよく、当該容器／ボトルは透明又は半透明である。
【００８３】
本明細書で使用する時、「透明な組成物」又は「半透明の組成物」は、４１０〜８００ナノメートルの波長で１ｃｍのキュベットを用いた光の約５０％以上の透過性を有する。
【００８４】
本発明の液体洗濯洗剤の移送及び保管に用いるボトル又は容器は、スペクトルの可視部分（約４１０〜８００ナノメートル）でほぼ２５％、あるいは３０％超、あるいは４０％超、あるいは５０％超の透過性を有してよい。
【００８５】
本明細書で使用する時、「透明なボトル」は、約４１０〜８００ナノメートルの波長で２５％超の光透過性を有する。
【００８６】
本発明の液体洗濯洗剤を収容するボトルを形成するのに用いてよいボトルの材料としては、ポリプロピレン（ＰＰ）、ポリエチレン（ＰＥ）、ポリカーボネート（ＰＣ）、ポリアミド（ＰＡ）及び／又はポリエチレンテレフタレート（ＰＥＴＥ）、ポリ塩化ビニル（ＰＶＣ）；並びにポリスチレン（ＰＳ）などが挙げられる。
【００８７】
本明細書記載の透過性のためには、可視光線範囲内の１波長が２５％を超える透過性を有する限り、この容器又はボトルは、透明／半透明と見なされる。
【００８８】
本発明の液体洗剤組成物を移送又は保管するための容器又はボトルは、家庭用の液体類を保管又は収容するのに好適な任意の形状又はサイズでよい。例えば、容器は任意のサイズでよいが、通常、容器の最大容量は０．０５〜１５Ｌ、好ましくは０．１〜５Ｌ、より好ましくは０．２〜２．５Ｌである。容器は、取り扱いが容易であることが好ましい。例えば、容器にはハンドル、又は簡単に容器を持ち上げたり、片手で運んだりするために使用する部分が備わっていてよい。容器には、液体洗剤生成物を注入するのに好適な手段及び容器を再閉止する手段が備わっているのが好ましい。注入手段は任意のサイズ又は形状でよいが、液体洗剤組成物を注入しやすいように十分な幅が備わっているのが好ましい。閉止手段は任意の形状又はサイズでよいが、通常、ねじる又は容器を押すことによって容器を閉止する。閉止手段は、容器から取り外し可能なキャップでよい。あるいはキャップは、容器の開閉状態に関わらず、容器に取り付けたままにすることができる。閉止手段は、容器に組み込まれていてもよい。
【００８９】
容器／ボトル及び／又は組成物の透過性を選択するために、染料、乳白剤、ＵＶ吸収剤、及び／又はこれらの組み合わせなどの補助剤成分を用いることが可能である。
【００９０】
洗濯補助剤成分
本発明の液体洗濯洗剤組成物は、１以上の洗濯補助剤成分を含有してよい。本明細書で有用な洗濯補助剤成分の例としては、ビルダー（例えば、クエン酸）、追加の増白剤、移染防止剤、構造剤、キレート剤、ポリアクリレートポリマー、分散剤、染料、香料、加工助剤、漂白化合物、溶媒、酵素、マイクロカプセル、ビーズ、汚れ放出ポリマー、及びこれらの混合物が挙げられる。
【００９１】
他の任意成分は、洗浄性酵素、ホウ砂以外の酵素安定剤（ポリオール、グリセロール、プロパンジオール（propandiol）、ジエチレングリコールなど）、ビルダー、キレート剤、ポリマー、泡抑泡剤、土壌懸濁剤、汚れ放出剤、ｐＨ調整剤、スメクタイト粘土、移染抑止剤、他の布地ケア効果剤、香料、着色剤、及び水性液体キャリアなどがある。種々の任意の洗剤組成物成分は、本明細書の組成物中に存在する場合、それらの望ましい寄与を組成物又は洗濯操作にもたらすため、慣習的に使用されている濃度で利用されるべきである。多くの場合、こうした任意の洗剤組成物成分の総量は、組成物の約０．０１重量％〜約５０重量％、より好ましくは約０．０１重量％〜約４０重量％、及び好ましくは約０．１重量％〜約３０重量％の範囲であることができる。
【００９２】
本明細書で有用な酵素の例としては、ヘミセルラーゼ類、ペルオキシダーゼ類、プロテアーゼ類、セルラーゼ類、キシラナーゼ類、リパーゼ類、ホスホリパーゼ類、エステラーゼ類、クチナーゼ類、ペクチナーゼ類、ケラタナーゼ類、レダクターゼ類、オキシダーゼ類、フェノールオキシダーゼ類、リポキシゲナーゼ類、リグニナーゼ類、プルラナーゼ類、タンナーゼ類、ペントサナーゼ類、マラナーゼ類、β−グルカナーゼ類、アラビノシダーゼ類、ヒアルロニダーゼ類、コンドロイチナーゼ類、ラッカーゼ類、及びアミラーゼ類、又はこれらの混合物が挙げられる。他の種類の酵素も含まれてよい。本明細書で有用な酵素は、植物、動物、細菌、真菌、及び酵母起源のように好適ないかなる起源であってもよい。好適な酵素は、ジェネンコア（Genecor）、ノボザイムズ（Novozymes）など多数の供給元から市販されている。
【００９３】
使用方法
本発明の組成物は、水不溶性増白剤の布地への付着を向上させるための洗濯方法で用いられてよい。
【００９４】
かかる方法は、
Ａ）液体洗濯洗剤組成物を製造する工程を含んでよく、この液体洗濯洗剤組成物が、
ａ）当該洗濯組成物の約６重量％〜約２０重量％の界面活性剤成分であって、
ｉ）当該洗濯組成物の約１重量％〜約６重量％の、平均炭素鎖長が約１６〜約１７である中鎖分岐一級アルキルサルフェート界面活性剤；
ｉｉ）当該洗濯組成物の約０．５重量％〜約９重量％の、アルキルベンゼンスルホン酸、Ｃ１０〜１６アルキルベンゼンスルホン酸のアルカリ金属塩から選択されるＨＬＡＳ界面活性剤を含んでなる界面活性剤成分、
ｂ）当該洗濯組成物の約０．０３重量％〜約０．２重量％の蛍光増白剤であって、約５０℃で測定した場合の水溶解度が０〜約２ｇ／Ｌの水不溶性蛍光増白剤である蛍光増白剤、及び
ｃ）当該洗濯組成物の約０．５重量％〜約４重量％のモノエタノールアミンを含んでなり、
ＨＬＡＳ界面活性剤の界面活性剤成分総量に対する比率が、重量ベースで約１：１４〜約５：７、あるいは約１：１４〜約１：２であり、ＭＥＡの総界面活性剤に対する比率が約１：１５〜約１：４、あるいは約１：１２〜約１：６であり、水不溶性増白剤の総界面活性剤に対する比率が約１：１００より低いものである、工程と、
Ｂ）液体洗濯組成物を標準的な洗濯機の洗浄水に加える工程と、
Ｃ）布地を洗濯機に加える工程と、
Ｄ）洗浄サイクルを実行する工程、とを含んでよい。
【００９５】
（実施例１及び２）
【表１】
2009518493.tif 000021
＊  供給元から入手可能な原料のパーセント量で表示（非活性成分を含む）
【００９６】
「発明を実施するための最良の形態」で引用したすべての文献は、関連部分において、参照することにより本明細書に組み込まれるが、いずれの文献の引用も、それが本発明に関して先行技術であることを容認するものとして解釈すべきではない。この文書における用語のいずれかの意味または定義が、参考として組み込まれる文献における用語のいずれかの意味または定義と対立する範囲については、本文書におけるその用語に与えられた意味または定義を適用するものとする。
【００９７】
本発明の特定の実施形態について説明し記載したが、この発明の要旨を逸脱しない範囲で種々変更可能であることはこの技術に精通したものなら言うまでもない。したがって、本発明の範囲内にあるそのような全ての変更修正を、添付の特許請求の範囲で扱うものとする。
【国際調査報告】
2009518493.tif 000022
2009518493.tif 000023
2009518493.tif 000024